(57)【要約】【課題】コストがかかることなく汚れをなくす処理をすることができる建物の内装仕上構造及び建物の内装仕上方法を提供すること。【解決手段】建物の内壁近傍に設備品（洗濯機、冷蔵庫等その他の汚れを発生させやすい製品）が設けられる。しかも、この建物の内装仕上構造では、前記設備品の設置予想部位近傍（スペース３の近傍）の内壁部５，６の内装仕上材料を他の内壁部７，８よりも耐汚染性の高い仕上材料又は汚れが落としやすい仕上材料としている。【選択図】  図１
2004339756.tif 000002
【特許請求の範囲】
【請求項１】
内壁近傍に設備品が設けられる建物の内装仕上構造であって、
前記設備品の設置予想部位近傍の内壁部の内装仕上材料を他の内壁部よりも耐汚染性の高い仕上材料又は汚れが落としやすい仕上材料としたことを特徴とする建物の内装仕上構造。
【請求項２】
内壁近傍に設備品が設けられる建物の内装仕上構造であって、
前記設備品の設置予想部位近傍の内壁部と他の内壁部を区画する見切り部材を設けて、前記設置予想部位近傍の内壁部の内装仕上材料を改装可能な仕上材料としたことを特徴とする建物の内装仕上構造。
【請求項３】
内壁近傍に設備品が設けられる建物の内装仕上方法であって、
前記設備品の設置予想部位近傍の内壁部と他の内壁部を区画する見切り部材を設けて、前記設置予想部位近傍の内壁部の内装仕上材料が汚染されたとき当該内装仕上材料を改装することを特徴とする建物の内装仕上方法。
【発明の詳細な説明】
【０００１】
【発明の属する技術分野】
この発明は、内壁の汚れが予想される部位の建物の内装仕上構造及び内装仕上方法に関するものである。
【０００２】
【従来の技術】
一般に、建物の内装仕上材、特に壁紙は経時変化で汚れるので、汚れの程度に応じて適宜改装されることが普通である。このため、汚れにくい壁紙や、改装しやすい壁紙が多く提案されている（例えば、特許文献１参照）。
【０００３】
【特許文献１】
特開平８−２９６３１４号公報
【０００４】
【発明が解決しようとする課題】
ところで、住居内でも汚れやすさには場所による差があり、特に洗濯機や冷蔵庫の裏などの内壁は汚れやすい。
【０００５】
また、通常、集合住宅においては、入居者が洗濯機や冷蔵庫等の設備品を購入して設置しているのが普通である。従って、入居者が変わる場合には、前入居者が転出する際に設備品を持っていくため、設備品が設置されていた場所の内壁が露出することになる。
【０００６】
しかし、この露出した内壁が汚れていると、汚れが目立つことになる。このため、この様な汚れが入居希望者の目に触れると、入居意欲が損なわれることになり好ましくない。
【０００７】
この事態を回避するために、入居希望者を案内する前に壁紙を貼り替えるのが通例である。この際、内壁の全面の壁紙を貼り替えるとコストがかかるという問題がある。また、部分的な貼り替えの場合、違和感が生ずることも考えられる。
【０００８】
そこで、この発明は、コストがかかることなく汚れをなくす処理をすることができる建物の内装仕上構造及び建物の内装仕上方法を提供することを目的とするものである。
【０００９】
【課題を解決するための手段】
この目的を達成するため、請求項１の発明は内壁近傍に設備品が設けられる建物の内装仕上構造であって、前記設備品の設置予想部位近傍の内壁部の内装仕上材料を他の内壁部よりも耐汚染性の高い仕上材料又は汚れが落としやすい仕上材料とした建物の内装仕上構造としたことを特徴とする。
【００１０】
この様に設備品の設置予想部位近傍の内壁部の内装仕上材料を他の内壁部よりも耐汚染性の高い仕上材料とすることにより、設備品の裏側等の壁部が汚れにくくなるので、設備品を除去しても汚れが目立たないことになる。
【００１１】
また、設備品の設置予想部位近傍の内壁部の内装仕上材料を他の内壁部よりも汚れが落としやすい仕上材料とすることにより、設備品の裏側等の壁部が汚れても、この汚れを容易に拭き取ることで、汚れを目立たなくすることができる。
【００１２】
更に、上述した目的を達成するため、請求項２の発明は、内壁近傍に設備品が設けられる建物の内装仕上構造であって、前記設備品の設置予想部位近傍の内壁部と他の内壁部を区画する見切り部材を設けて、前記設置予想部位近傍の内壁部の内装仕上材料を改装可能な仕上材料とした建物の内装仕上構造としたことを特徴とする。
【００１３】
この構成によれば、前記内壁部の内装仕上材料を交換するのみで良いので、改装が容易である。しかも、前記内壁部のみを部分的に貼り替えても、この貼り替えた部分の周囲は見切り部材により見切られているので、違和感が生じない。
【００１４】
更に、上述した目的を達成するため、請求項３の発明は、内壁近傍に設備品が設けられる建物の内装仕上方法であって、前記設備品の設置予想部位近傍の内壁部と他の内壁部を区画する見切り部材を設けて、前記設置予想部位近傍の内壁部の内装仕上材料が汚染されたとき当該内装仕上材料を改装する建物の内装仕上方法としたことを特徴とする。
【００１５】
この建物の内装仕上方法によれば、前記内壁部が汚染されたときに、前記内壁部の内装仕上材料を交換するのみで良いので、内装仕上材料の交換を容易に行うことができる。
【００１６】
【発明の実施の形態１】
以下、この発明の実施の形態を図面に基づいて説明する。
【００１７】
図１において、１は例えば集合住宅のある入居者のキッチンを示したものである。このキッチン１にはキッチン台２が設置されている。また、キッチン台２の左には、設備品としての冷蔵庫を設置すると予想されるスペース（設備品の設置予想部位）３が設けられている。
【００１８】
このキッチン台２の上方の内壁部４及びスペース３の近傍の内壁部５，６は汚れやすい内壁面となる。しかも、この内壁部５，６は、コーナにおいて隣接すると共に直交している。
【００１９】
従って、内壁部４，５，６の内装仕上材料を、内壁部４に隣接する他の内壁部７や内壁部５に隣接する他の内壁部８より耐汚染性の高い仕上材料又は汚れが落としやすい仕上材料としている。
【００２０】
この仕上材料としては、例えばアスベール（登録商標）や化粧ケイカル板等を用いることができる。尚、内壁部７，８は通常の壁紙を貼り付けている。
【００２１】
この様に冷蔵庫（設備品）が設置されると予想されるスペース（設備品の設置予想部位）３の近傍の内壁部５，６の内装を他の内壁部よりも耐汚染性の高い仕上材料から形成することにより、冷蔵庫（設備品）の裏側等の内壁部が汚れにくくなるので、冷蔵庫（設備品）を除去しても汚れが目立たないことになる。
【００２２】
また、冷蔵庫（設備品）が設置されると予想されるスペース（設備品の設置予想部位）３に対応する内壁部５，６の内装を他の内壁部よりも汚れが落としやすい仕上材料から形成することにより、冷蔵庫（設備品）の裏側等の内壁部５，６が汚れても、この汚れを容易に拭き取ることで、汚れを目立たなくすることができる。
【００２３】
尚、本実施例では設備品が冷蔵庫である場合を説明したが、設備品としては洗濯機であっても良いし、他の製品であっても良い。
【００２４】
【発明の実施の形態２】
また、図２はこの発明の実施の形態２を示したものである。この図２において、１０は例えば集合住宅のある入居者の洗面室を示したものである。
【００２５】
この洗面室１０には洗面台１１が設置されている。また、洗面台１１の左には、設備品としての洗濯機を設置すると予想されるスペース（設備品の設置予想部位）１２が設けられている。
【００２６】
このスペース１２の近傍の内壁部１３，１４は汚れやすい内壁面となる。しかも、この内壁部１３，１４は、コーナにおいて隣接すると共に直交している。
【００２７】
従って、内壁部１３とこの内壁部１３に隣接する内壁部１５とを区画する見切り部材１６を設けると共に、内壁部１４とこの内壁部１４に隣接する内壁部１７とを区画する見切り部材１８を設ける。そして、内壁部１３，１４，１５，１７には、通常の壁紙を改装可能に貼り付ける。
【００２８】
この構成によれば、内壁部１３，１４の内装仕上材料を交換するのみで良いので、改装が容易である。しかも、内壁部１３，１４のみを部分的に貼り替えても、この貼り替えた部分の周囲は見切り部材１６，１８により見切られているので、違和感が生じない。
【００２９】
尚、本実施例では設備品が洗濯機である場合を説明したが、設備品としては冷蔵庫であっても良いし、電子レンジ等の他の製品であっても良い。また、この様な設備品により汚れやすい部分として内壁部５，６や内壁部１３，１４を例に挙げたが、設備品により汚れやすい部分としては天井や床面であっても良い。
【００３０】
以上説明したように、この発明の実施の形態の建物では、内壁近傍に設備品（洗濯機、冷蔵庫等その他の汚れを発生させやすい製品）が設けられる。しかも、この建物の内装仕上構造では、前記設備品の設置予想部位近傍（スペース３の近傍）の内壁部５，６の内装仕上材料を他の内壁部７，８よりも耐汚染性の高い仕上材料又は汚れが落としやすい仕上材料としている。
【００３１】
この様に設備品の設置予想部位近傍（スペース３の近傍）の内壁部５，６の内装仕上材料を他の内壁部７，８よりも耐汚染性の高い仕上材料とすることにより、設備品の裏側等の壁部が汚れにくくなるので、設備品を除去しても汚れが目立たないことになる。
【００３２】
また、設備品の設置予想部位近傍（スペース３の近傍）の内壁部５，６の内装仕上材料を他の内壁部７，８よりも汚れが落としやすい仕上材料とすることにより、設備品の裏側等の壁部が汚れても、この汚れを容易に拭き取ることで、汚れを目立たなくすることができる。
【００３３】
更に、この発明の実施の形態の建物では、内壁近傍に設備品（洗濯機、冷蔵庫等その他の汚れを発生させやすい製品）が設けられる。しかも、この建物の内装仕上構造は、前記設備品（洗濯機、冷蔵庫等その他の汚れを発生させやすい製品）の設置予想部位近傍（スペース１２の近傍）の内壁部１３，１４と他の内壁部１５，１７を区画する見切り部材１６，１８を設けて、前記設置予想部位近傍（スペース１２の近傍）の内壁部１３，１４の内装仕上材料を改装可能な仕上材料としている。
【００３４】
この構成によれば、前記内壁部１３，１４の内装仕上材料を交換するのみで良いので、改装が容易である。しかも、前記内壁部１３，１４のみを部分的に貼り替えても、この貼り替えた部分の周囲は見切り部材により見切られているので、違和感が生じない。
【００３５】
更に、この発明の実施の形態の建物では、内壁近傍に設備品（洗濯機、冷蔵庫等その他の汚れを発生させやすい製品）が設けられる。しかも、この建物の内装仕上方法では、前記設備品（洗濯機、冷蔵庫等その他の汚れを発生させやすい製品）の設置予想部位近傍（スペース１２の近傍）の内壁部１３，１４と他の内壁部１５，１７を区画する見切り部材１６，１８を設けて、前記設置予想部位近傍（スペース１２の近傍）の内壁部１３，１４の内装仕上材料が汚染されたとき当該内装仕上材料を改装する様にしている。
【００３６】
この建物の内装仕上方法によれば、前記内壁部１３，１４が汚染されたときに、前記内壁部の内装仕上材料を交換するのみで良いので、内装仕上材料の交換を容易に行うことができる。
【００３７】
【発明の効果】
以上説明したように請求項１の発明によれば、設備品の設置予想部位近傍の内壁部の内装仕上材料を他の内壁部よりも耐汚染性の高い仕上材料としているので、設備品の裏側等の壁部が汚れにくくなり、設備品を除去しても汚れが目立たないことになる。また、請求項１の発明によれば、設備品の設置予想部位近傍の内壁部の内装仕上材料を他の内壁部よりも汚れが落としやすい仕上材料としているので、設備品の裏側等の壁部が汚れても、この汚れを容易に拭き取ることで、汚れを目立たなくすることができる。
【００３８】
更に、請求項２の発明によれば、前記内壁部の内装仕上材料を交換するのみで良いので、改装が容易である。しかも、前記内壁部のみを部分的に貼り替えても、この貼り替えた部分の周囲は見切り部材により見切られているので、違和感が生じない。
【００３９】
更に、請求項３の発明によれば、前記内壁部が汚染されたときに、前記内壁部の内装仕上材料を交換するのみで良いので、内装仕上材料の交換を容易に行うことができる。
【図面の簡単な説明】
【図１】この発明の実施の形態１を説明するキッチンの説明図である。
【図２】この発明の実施の形態１を説明する洗面室の説明図である。
【符号の説明】
３…スペース（設備品の設置予想部位）
５，６…内壁部（設備品の設置予想部位近傍の内壁部）
１２…スペース（設備品の設置予想部位）
１３，１４…内壁部（設備品の設置予想部位近傍の内壁部）
１５…内壁部（他の内壁部）
１６…見切り部材
１７…内壁部（他の内壁部）
１８…見切り部材
【図１】
2004339756.tif 000003
【図２】
2004339756.tif 000004